(57)【要約】【課題】パネルシートが外れてしまうことを抑制できるとともに、パネルシートを容易に取り付け・交換できる、パネルシート取付構造を提供する。【解決手段】パネルシート取付構造１００は、パネルシート１０１と、装置２００の表面に設置され、パネルシート１０１を装置２００に取り付けるためのパネルシートフレーム１０２と、を備え、装置２００の表面のパネルシート１０１が取り付けられる取付面は曲面であり、パネルシート１０１は、当該取付面の曲面に対して逆方向に沿った曲面形状を有し、パネルシートフレーム１０２は、パネルシート１０１の当該パネルシートフレーム１０２に挿入する方向に沿った側部を摺動可能に係止するレール１０２Ａを備える。【選択図】図１
2019145648.tif 000002
【特許請求の範囲】
【請求項１】
パネルシートと、
装置の表面に設置され、前記パネルシートを前記装置に取り付けるためのパネルシートフレームと、
を備え、
前記装置の表面の前記パネルシートが取り付けられる取付面は曲面であり、
前記パネルシートは、前記取付面の曲面に対して逆方向に沿った曲面形状を有し、
前記パネルシートフレームは、前記パネルシートの当該パネルシートフレームに挿入する方向に沿った側部を摺動可能に係止するレールを備える、パネルシート取付構造。
【請求項２】
前記パネルシートフレームは、前記装置の前記取付面に設けられたヒンジ穴に嵌合可能なヒンジを備える、請求項１に記載のパネルシート取付構造。
【請求項３】
前記パネルシートフレームは、前記装置の前記取付面に形成された凹部と実質的に同じ平面視形状と、前記凹部の深さと実質的に同じ厚さを有する、請求項１又は２に記載のパネルシート取付構造。
【請求項４】
前記レールは、当該レールの長さ方向の少なくとも１つの箇所に、他の部分よりも幅が広く形成された幅広部を備える、請求項１乃至３の何れか一項に記載のパネルシート取付構造。
【発明の詳細な説明】
【技術分野】
【０００１】
本発明は、曲面形状の装置表面にパネルシート等を取り付けるパネルシート取付構造に関する。
【背景技術】
【０００２】
例えば、右側の側面に配線接続用コネクタが設けられた装置を壁掛設置する場合において、装置の右側に壁が存在すると、配線工事がしづらくなる。そのため、当該装置を上下逆転させて壁掛設置する場合がある。しかし、装置の上下を逆転させると、装置の表面に取り付けられているロゴや装置名称等が逆さまになってしまう。そこで、ロゴや装置名称を表示したパネルシートを着脱可能に取り付ける取付構造を装置表面に設け、当該パネルシートを上下逆転させて当該取付構造に取り付けていた。例えば、パネルシートの周縁部の所定の場所に取付用のツメを設け、装置の表面に、取付構造として、当該ツメが係止可能な窪みを設けることにより、パネルシートを装置表面に着脱可能に取り付けていた。
【０００３】
例えば、特許文献１には、装置表面の曲面部分に表示板を取り付ける取付構造として、装置に取付用のフランジ及び係止片を設け、表示板の周縁部を当該フランジ及び係止片によって係止することが記載されている。
【先行技術文献】
【特許文献】
【０００４】
【特許文献１】特開２０００−００４０８２号公報
【発明の概要】
【発明が解決しようとする課題】
【０００５】
しかしながら、装置の表面のパネルシートが取り付けられる取付面が曲面である場合、パネルシートは当該曲面に合わせて撓む。そのため、装置に取り付けられたパネルシートは、当該撓みを解消する方向の力を、上記窪み等の係止部に常に加える。その結果、パネルシートが外れやすくなってしまうという問題があった。また、パネルシートが容易に外れないように、パネルシートが係止部によって係止される面積や係止力を増やすと、パネルシートの取り付け・交換が難しくなるという問題もあった。
【０００６】
本開示の目的は、上述した課題を鑑み、パネルシートが外れてしまうことを抑制できるとともに、パネルシートを容易に取り付け・交換できる、パネルシート取付構造を提供することである。
【課題を解決するための手段】
【０００７】
本発明の第１の態様に係るパネルシート取付構造は、パネルシートと、装置の表面に設置され、前記パネルシートを前記装置に取り付けるためのパネルシートフレームと、を備え、前記装置の表面の前記パネルシートが取り付けられる取付面は曲面であり、前記パネルシートは、前記取付面の曲面に対して逆方向に沿った曲面形状を有し、前記パネルシートフレームは、前記パネルシートの当該パネルシートフレームに挿入する方向に沿った側部を摺動可能に係止するレールを備える。
【発明の効果】
【０００８】
パネルシートが外れてしまうことを抑制できるとともに、パネルシートを容易に取り付け・交換できる、パネルシート取付構造を提供することができる。
【図面の簡単な説明】
【０００９】
【図１】実施の形態１に係るパネルシート取付構造を分解して示す斜視図である。
【図２】実施の形態１に係るパネルシート取付構造の取付方法を示す図である。
【図３】実施の形態１に係るパネルシート取付構造を示す断面図である。
【図４】比較例のパネルシート取付構造を分解して示す斜視図である。
【図５】比較例のパネルシート取付構造を示す断面図である。
【発明を実施するための形態】
【００１０】
実施の形態１
以下、図面を参照して本発明の実施の形態について説明する。図１は、本発明の実施の形態１に係るパネルシート取付構造１００を分解して示す斜視図である。図２は、実施の形態１に係るパネルシート取付構造１００の取付方法を示す図である。図３は、実施の形態１に係るパネルシート取付構造１００を示す断面図である。
【００１１】
図１に示すように、本実施の形態１に係るパネルシート取付構造１００は、パネルシート１０１と、パネルシートフレーム１０２を備える。
また、パネルシート取付構造１００は、装置２００の上面に設置される。
【００１２】
装置２００は、略直方体形状を有する筐体を備えている。また、装置２００の上面は、上側に滑らかに突出する曲面である。すなわち、装置２００の表面のパネルシート１０１が取り付けられる取付面は曲面である。なお、装置２００は、電気機器等、パネルシートが取り付けられる筐体を有する製品であれば、何であってもよい。
【００１３】
また、装置２００の上面（取付面）には、パネルシートフレーム１０２を嵌合可能な凹部２０１が形成されている。
凹部２０１は、パネルシートフレーム１０２の平面視形状と実質的に同じ平面視形状と、パネルシートフレーム１０２の厚さと実質的に同じ深さを有する。図１に示す例では、凹部２０１は、平面視矩形形状を有し、凹部２０１の平面視形状の長辺は、装置２００上面の長手方向に沿っている。
また、凹部２０１の壁部には、パネルシートフレーム１０２に設けられたヒンジ１０２Ｂを嵌合可能なヒンジ穴２０２が形成されている。図１に示す例では、凹部２０１の平面視形状の長辺に位置する対向する２つの壁部の端部に、ヒンジ穴２０２が１つずつ形成されている。また、図１に示す例では、ヒンジ穴２０２は、円柱形状のヒンジ１０２Ｂが回動可能に嵌合可能な形状を有している。
【００１４】
パネルシート１０１は、可撓性を有する素材によって形成されたシートである。また、パネルシート１０１は、装置２００の上面（取付面）に形成された凹部２０１の平面視形状と実質的に同じ平面視形状を有する。また、パネルシート１０１は、装置２００の上面の曲面に対して逆方向に沿った曲面形状を有している。換言すれば、パネルシート１０１の面形状は、下側に滑らかに突出する曲面である。
【００１５】
パネルシートフレーム１０２は、パネルシート１０１の平面視形状と実質的に同じ平面視形状を有する、底部を有する枠体である。具体的には、パネルシートフレーム１０２は、パネルシート１０１の平面視形状と実質的に同じ平面視形状を有する底部と、当該底部の周縁部に形成された枠部と、を備える。より具体的には、パネルシートフレーム１０２の底部は平面視矩形形状を有し、当該底部の対向する短辺の一方と、当該底部の対向する長辺と、に枠部が形成されている。そして、パネルシートフレーム１０２の底部の対向する長辺に形成された枠体は、パネルシート１０１を摺動可能に係止するレール１０２Ａとなっている。すなわち、パネルシートフレーム１０２は、パネルシート１０１の当該パネルシートフレーム１０２に挿入する方向に沿った側部を摺動可能に係止するレール１０２Ａを備える。
また、レール１０２Ａは、当該レール１０２Ａの長さ方向の少なくとも１つの箇所に、他の部分よりも幅が広く形成された幅広部１０２Ｃを備える。図１に示す例では、対向するレール１０２Ａのそれぞれの４か所に、幅広部１０２Ｃが形成されている。また、４つの幅広部１０２Ｃは、レール１０２Ａ上に実質的に等間隔に形成されている。
【００１６】
また、パネルシートフレーム１０２は、装置２００の上面（取付面）に形成された凹部２０１と実質的に同じ平面視形状と、当該凹部２０１の深さと実質的に同じ厚さを有する。さらに、パネルシートフレーム１０２の底部の面形状は、装置２００の上面と実質的に同じ曲率半径を有する曲面である。
【００１７】
また、パネルシートフレーム１０２は、装置２００の上面の凹部２０１に設けられたヒンジ穴２０２に嵌合可能なヒンジ１０２Ｂを備える。図１に示す例では、パネルシートフレーム１０２の側部のヒンジ穴２０２に対応する位置に、円柱形状のヒンジ１０２Ｂが形成されている。
【００１８】
次に、図２を参照しながら、本実施の形態１に係るパネルシート取付構造１００における、装置２００へのパネルシート１０１の取付方法について説明する。
まず、図２に示すように、パネルシート１０１をパネルシートフレーム１０２のレール１０２Ａに摺動させながら、パネルシートフレーム１０２に挿入する。このとき、パネルシート１０１はパネルシートフレーム１０２内に挿入されることにより、パネルシートフレーム１０２内に挿入される前にパネルシート１０１がもともと曲がっていた方向とは逆方向に撓む。
【００１９】
次に、パネルシートフレーム１０２のヒンジ１０２Ｂが、装置２００のヒンジ穴２０２に嵌合されることにより、パネルシート１０１が挿入されたパネルシートフレーム１０２が装置２００の上面に設置される。これにより、パネルシートフレーム１０２は、装置２００の上面に、ヒンジ１０２Ｂの軸を回動軸として回動可能に設置される。
【００２０】
図３に、図２のＩＩＩ−ＩＩＩ矢視断面図を示す。図３に示すように、パネルシートフレーム１０２に挿入されたパネルシート１０１は、当該パネルシート１０１の面形状が上側に滑らかに突出する曲面となるように、撓んでいる。そのため、パネルシートフレーム１０２に挿入されたパネルシート１０１は、元の形状に戻ろうとする力（当該撓みを解消する方向の力）をパネルシートフレーム１０２に常に加える。換言すれば、パネルシートフレーム１０２に挿入されたパネルシート１０１は、当該パネルシートの面形状が下側に滑らかに突出する曲面となるように変形する力をパネルシートフレーム１０２に常に加える。そのため、パネルシート１０１の中央部は、パネルシートフレーム１０２の底部に密着する方向に変形する力をパネルシートフレーム１０２に常に加える。これにより、パネルシート１０１の短辺がパネルシートフレーム１０２のレール１０２Ａから外れにくくなる。
【００２１】
図４に、比較例のパネルシート取付構造を分解して示す斜視図を示す。また、図５に、比較例のパネルシート取付構造を示す断面図を示す。図５は、図４のＶ−Ｖ矢視断面図である。比較例のパネルシート取付構造では、パネルシート３００が、直接、装置４００の上面（取付面）に取り付けられる。
【００２２】
また、図４に示すように、比較例のパネルシート取付構造では、パネルシート３００の周縁部の複数の箇所に他の部分より突出するツメ３０１を形成している。また、パネルシート３００の平面視形状は、実質的に矩形形状を有する。また、パネルシート３００の面形状は、実質的に平面形状である。
【００２３】
装置４００の上面（取付面）は、上側に滑らかに突出する曲面である。また、装置４００の上面には、当該パネルシート３００を嵌合可能な凹部４０１が形成されている。また、装置４００の凹部４０１の壁部の上部は、パネルシート３００のツメ３０１に対応する位置に、当該ツメ３０１を係止可能な係止片４０１Ａが形成されている。
【００２４】
そして、パネルシート３００のツメ３０１を装置４００の係止片４０１Ａに係止させながら、パネルシート３００を凹部４０１に嵌合させる。これにより、パネルシート３００は、装置４００の上面に取り付けられる。このとき、凹部４０１に嵌合されたパネルシート３００は、当該パネルシート３００の面形状が上側に滑らかに突出する曲面となるように、撓んでいる。そのため、凹部４０１に嵌合されたパネルシート３００は、元の形状に戻ろうとする力（当該撓みを解消する方向の力）を係止片４０１Ａに常に加える。換言すれば、図５に示すように、装置４００の凹部４０１に嵌合されたパネルシート３００の周縁部は、凹部４０１から上側に離れる方向に変形する力を係止片４０１Ａに常に加える。そのため、パネルシート３００のツメ３０１が係止片４０１Ａから外れやすくなってしまう。
【００２５】
以上に説明した実施の形態１に係るパネルシート取付構造１００では、パネルシート１０１は、装置２００の上面（取付面）の曲面に対して逆方向に沿った曲面形状を有する。そのため、パネルシートフレーム１０２に挿入されたパネルシート１０１は、元の形状に戻ろうとする力をパネルシートフレーム１０２に常に加える。そのため、パネルシート１０１の中央部は、パネルシートフレーム１０２の底部に密着する方向に変形する力をパネルシートフレーム１０２に常に加える。これにより、パネルシート１０１の短辺がパネルシートフレーム１０２のレール１０２Ａから外れにくくなる。また、パネルシートフレーム１０２は、パネルシート１０１の当該パネルシートフレーム１０２に挿入する方向に沿った側部を摺動可能に係止するレール１０２Ａを備える。そのため、パネルシート１０１をレール１０２Ａに沿って摺動させながらパネルシートフレーム１０２に挿入することにより容易にパネルシート１０１をパネルシートフレーム１０２に取り付けることができる。また、パネルシート１０１をレール１０２Ａに沿って摺動させながらパネルシートフレーム１０２から出すことにより容易にパネルシート１０１をパネルシートフレーム１０２から取り外すことができる。これにより、パネルシート１０１が外れてしまうことを抑制できるとともに、パネルシート１０１を容易に取り付け・交換できる、パネルシート取付構造１００を提供することができる。
【００２６】
また、パネルシートフレーム１０２は、装置２００の上面（取付面）に設けられたヒンジ穴２０２に嵌合可能なヒンジ１０２Ｂを備える。これにより、パネルシートフレーム１０２は、ヒンジ穴２０２にヒンジ１０２Ｂを嵌合することにより、装置２００の上面に、パネルシートフレーム１０２を容易に設置することができる。また、装置２００の上面に、パネルシートフレーム１０２を、ヒンジ１０２Ｂの軸周りに回動可能に設置することができる。これにより、パネルシートフレーム１０２を装置２００の上面から取り外さなくても、パネルシート１０１を交換することができる。
【００２７】
また、パネルシートフレーム１０２は、装置２００の上面（取付面）に形成された凹部２０１と実質的に同じ平面視形状と、当該凹部２０１の深さと実質的に同じ厚さを有する。これにより、装置２００の上面に設置されたパネルシートフレーム１０２の上面と、装置２００の上面とを実質的に面一とすることができ、装置２００の外観を損なわずに済む。
【００２８】
また、レール１０２Ａは、当該レール１０２Ａの長さ方向の少なくとも１つの箇所に、他の部分よりも幅が広く形成された幅広部１０２Ｃを備える。これにより、パネルシート１０１がパネルシートフレーム１０２から外れることをより確実に防止することができる。
【００２９】
なお、本発明は上記実施の形態に限られたものではなく、趣旨を逸脱しない範囲で適宜変更することが可能である。
例えば、パネルシート１０１、パネルシートフレーム１０２、凹部２０１の平面視形状は、実施の形態１及び図１及び図２に記載された形状に限定されるものではない。
また、パネルシートフレーム１０２を装置２００の取付面に設置する方法及び構造は、実施の形態１及び図１及び図２に記載された方法及び構造に限定されるものではない。
また、レール１０２Ａに形成される幅広部１０２Ｃの数は、実施の形態１及び図１及び図２に記載された数に限定されるものではない。
【符号の説明】
【００３０】
１００  パネルシート取付構造
１０１  パネルシート
１０２  パネルシートフレーム
１０２Ａ  レール
１０２Ｂ  ヒンジ
１０２Ｃ  幅広部
２００  装置
２０１  凹部
２０２  ヒンジ穴
【図１】
2019145648.tif 000003
【図２】
2019145648.tif 000004
【図３】
2019145648.tif 000005
【図４】
2019145648.tif 000006
【図５】
2019145648.tif 000007
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
装置の表面に設置され、パネルシートを前記装置に取り付けるためのパネルシートフレームであって、前記装置の表面の前記パネルシートフレームが取り付けられる取付面の曲面と同じ面形状の底部を備える前記パネルシートフレームと、
前記パネルシートフレームに挿入された前記パネルシートであって、前記パネルシートフレームに挿入される前において、前記パネルシートフレームの底部の面形状に対して逆方向に反った曲面形状を有しており、前記パネルシートフレームに挿入されることによって当該パネルシートの面形状が前記パネルシートフレームの底部の面形状と同じ曲面となるように撓むパネルシートと、
を備え、
前記パネルシートフレームは、
前記パネルシートの当該パネルシートフレームに挿入する方向に沿った側部を摺動可能に係止するレールを備える、パネルシート取付構造。
【請求項２】
前記パネルシートフレームは、前記装置の前記取付面に設けられたヒンジ穴に嵌合可能なヒンジを備える、請求項１に記載のパネルシート取付構造。
【請求項３】
前記パネルシートフレームは、前記装置の前記取付面に形成された凹部と実質的に同じ平面視形状と、前記凹部の深さと実質的に同じ厚さを有する、請求項１又は２に記載のパネルシート取付構造。
【請求項４】
前記レールは、当該レールの長さ方向の少なくとも１つの箇所に、他の部分よりも幅が広く形成された幅広部を備える、請求項１乃至３の何れか一項に記載のパネルシート取付構造。
【手続補正２】
【補正対象書類名】明細書
【補正対象項目名】０００７
【補正方法】変更
【補正の内容】
【０００７】
本発明の第１の態様に係るパネルシート取付構造は、パネルシートと、装置の表面に設置され、前記パネルシートを前記装置に取り付けるためのパネルシートフレームと、を備え、前記装置の表面の前記パネルシートが取り付けられる取付面は曲面であり、前記パネルシートは、前記取付面の曲面に対して逆方向に反った曲面形状を有し、前記パネルシートフレームは、前記パネルシートの当該パネルシートフレームに挿入する方向に沿った側部を摺動可能に係止するレールを備える。
【手続補正３】
【補正対象書類名】明細書
【補正対象項目名】００１４
【補正方法】変更
【補正の内容】
【００１４】
パネルシート１０１は、可撓性を有する素材によって形成されたシートである。また、パネルシート１０１は、装置２００の上面（取付面）に形成された凹部２０１の平面視形状と実質的に同じ平面視形状を有する。また、パネルシート１０１は、装置２００の上面の曲面に対して逆方向に反った曲面形状を有している。換言すれば、パネルシート１０１の面形状は、下側に滑らかに突出する曲面である。
【手続補正４】
【補正対象書類名】明細書
【補正対象項目名】００１５
【補正方法】変更
【補正の内容】
【００１５】
パネルシートフレーム１０２は、パネルシート１０１の平面視形状と実質的に同じ平面視形状を有する、底部を有する枠体である。具体的には、パネルシートフレーム１０２は、パネルシート１０１の平面視形状と実質的に同じ平面視形状を有する底部と、当該底部の周縁部に形成された枠部と、を備える。より具体的には、パネルシートフレーム１０２の底部は平面視矩形形状を有し、当該底部の対向する短辺の一方と、当該底部の対向する長辺と、に枠部が形成されている。そして、パネルシートフレーム１０２の底部の対向する長辺に形成された枠部は、パネルシート１０１を摺動可能に係止するレール１０２Ａとなっている。すなわち、パネルシートフレーム１０２は、パネルシート１０１の当該パネルシートフレーム１０２に挿入する方向に沿った側部を摺動可能に係止するレール１０２Ａを備える。
また、レール１０２Ａは、当該レール１０２Ａの長さ方向の少なくとも１つの箇所に、他の部分よりも幅が広く形成された幅広部１０２Ｃを備える。図１に示す例では、対向するレール１０２Ａのそれぞれの４か所に、幅広部１０２Ｃが形成されている。また、４つの幅広部１０２Ｃは、レール１０２Ａ上に実質的に等間隔に形成されている。
【手続補正５】
【補正対象書類名】明細書
【補正対象項目名】００２５
【補正方法】変更
【補正の内容】
【００２５】
以上に説明した実施の形態１に係るパネルシート取付構造１００では、パネルシート１０１は、装置２００の上面（取付面）の曲面に対して逆方向に反った曲面形状を有する。そのため、パネルシートフレーム１０２に挿入されたパネルシート１０１は、元の形状に戻ろうとする力をパネルシートフレーム１０２に常に加える。そのため、パネルシート１０１の中央部は、パネルシートフレーム１０２の底部に密着する方向に変形する力をパネルシートフレーム１０２に常に加える。これにより、パネルシート１０１の短辺がパネルシートフレーム１０２のレール１０２Ａから外れにくくなる。また、パネルシートフレーム１０２は、パネルシート１０１の当該パネルシートフレーム１０２に挿入する方向に沿った側部を摺動可能に係止するレール１０２Ａを備える。そのため、パネルシート１０１をレール１０２Ａに沿って摺動させながらパネルシートフレーム１０２に挿入することにより容易にパネルシート１０１をパネルシートフレーム１０２に取り付けることができる。また、パネルシート１０１をレール１０２Ａに沿って摺動させながらパネルシートフレーム１０２から出すことにより容易にパネルシート１０１をパネルシートフレーム１０２から取り外すことができる。これにより、パネルシート１０１が外れてしまうことを抑制できるとともに、パネルシート１０１を容易に取り付け・交換できる、パネルシート取付構造１００を提供することができる。